(57)【要約】【課題】簡単な構造で、且つ、少ない資材で構成することができる梱包ケースを提供すること。【解決手段】1枚の片面段ボールから成り、波目側の面である、第1の対向する二辺とそれらに直交する第2の対向する二辺から成る矩形の物品載置面１１と、第1の対向する二辺からそれぞれ延出する内フラップ１２と、第2の対向する二辺からそれぞれ延出する外フラップ１３と、第1の対向する二辺及び第2の対向する二辺にそれぞれ設けられた内折り線と、2つの内フラップ１２のうちの少なくとも一方に設けられた、第1の対向する二辺に平行な外折り線２１とを備えることを特徴とする梱包ケース１０を提供する。【選択図】図１
2015199515.tif 000002
【特許請求の範囲】
【請求項１】
1枚の片面段ボールから成り、
a) 波目側の面である、第1の対向する二辺とそれらに直交する第2の対向する二辺から成る矩形の物品載置面と、
b) 前記第1の対向する二辺からそれぞれ延出する内フラップと、
c) 前記第2の対向する二辺からそれぞれ延出する外フラップと、
d) 前記第1の対向する二辺及び前記第2の対向する二辺にそれぞれ設けられた内折り線と、
e) 前記2つの内フラップのうちの少なくとも一方に設けられた、前記第1の対向する二辺に平行な外折り線と、
を備えることを特徴とする梱包ケース。
【請求項２】
1枚の片面段ボールから成り、
a) 波目側の面である、第1の対向する二辺とそれらに直交する第2の対向する二辺から成る矩形の物品載置面と、
b) 前記第1の対向する二辺からそれぞれ延出する内フラップと、
c) 前記第2の対向する二辺からそれぞれ延出する外フラップと、
d) 前記第1の対向する二辺及び前記第2の対向する二辺のうちの少なくとも波目と直交する二辺に設けられた内折り線と、
e) 前記2つの内フラップのうちの少なくとも一方に設けられた、前記第1の対向する二辺に平行な外折り線と、
を備えることを特徴とする梱包ケース。
【請求項３】
前記第1の対向する二辺にマチが設けられている、請求項１又は２に記載の梱包ケース。
【請求項４】
前記2つの外フラップの波目側の面には、自己粘着剤が塗布されている、請求項１〜３のいずれかに記載の梱包ケース。
【請求項５】
前記2つの外フラップの波目側の面の両端部には、前記2つの内フラップと接しない余剰部分がある、請求項１〜４のいずれかに記載の梱包ケース。
【請求項６】
1枚の片面段ボールから成る梱包ケースによる物品の梱包方法であって、
a) 波目側の面であり、第1の対向する二辺とそれらに直交する第2の対向する二辺から成る矩形の物品載置面に物品を載置するステップと、
b) 前記物品の上面を覆うように前記第1の対向する二辺からそれぞれ延出する内フラップを折るステップと、
c) 前記2つの内フラップのうちの少なくとも一方を、前記第1の対向する二辺と平行な線に沿って前記物品上で外側に折り返すことにより、前記内フラップの先端側の波目側の面を外側に向けるステップと、
d) 前記第2の対向する二辺からそれぞれ延出する外フラップを折り、前記折り返された前記内フラップを覆うとともに、前記外側を向いた内フラップと前記外フラップそれぞれの波目側の面の波目の筋を互いに噛み合わせるステップと、
を有することを特徴とする梱包方法。
【発明の詳細な説明】
【技術分野】
【０００１】
本発明は、物品の輸送にあたり該物品を保護するための梱包ケースと該梱包ケースによる物品の梱包方法に関する。
【背景技術】
【０００２】
例えば通信販売等の分野において、書籍やパッケージ入りのＣＤ（Compact Disc）、ＤＶＤ（Digital Versatile Disc）といった厚みのある平板状の物品を配送する際には、該物品の保護及び取り扱いの便宜のために、薄い箱状のケースに該物品を収容して配送している。このような、物品を輸送する時に用いるケースは、物品を衝撃から保護するため、段ボール等の衝撃吸収性を有する厚手の素材である場合が多い。
【０００３】
特許文献１には、図６のように、外側材１、内側材２、及び側面材６で構成された梱包ケースが記載されている。外側材１、内側材２、及び側面材６は、いずれも片面ダンボールの波目の向きを短辺方向と合わせて長方形に裁断することにより形成されている。内側材２と外側材１は、互いに長辺方向が直交するように重ねて配置され、重なった部分が貼り合わされて二枚重ねの底部３を形成している。また、内側材２と外側材１が互いに重なっていない部分の内側材２と外側材１は、底部３から延出したフラップ４、４’、５、５’となっている。このような梱包ケースは、側面材６で該被包装物Ｂの側面を囲み、底部３に被包装物Ｂを載置し、フラップ４、４’、５、５’を折り曲げて閉止することで、被包装物Ｂを包装する。この梱包ケースは被包装物の六方側面のすべてを段ボール二枚重ねにして包装するため、十分な緩衝力と強度で被包装物を被覆保護して安全に輸送することができる。
【先行技術文献】
【特許文献】
【０００４】
【特許文献１】公開実用新案昭63-040319号公報
【発明の概要】
【発明が解決しようとする課題】
【０００５】
しかしながら、上記の梱包ケースでは、被包装物を包装するために、外側材１、内側材２、及び側面材６という複数の部品を用意して組み立てなければならず、面倒である。また、被包装物によっては予め緩衝材等で保護されているものもあり、その場合には上記の梱包ケースのように段ボールを二枚重ねにして保護することは、資材の浪費の点から好ましくない。
【０００６】
本発明が解決しようとする課題は、簡単な構造で、且つ、少ない資材で構成することができる梱包ケースを提供することである。
【課題を解決するための手段】
【０００７】
上記課題を解決するために成された本発明に係る梱包ケースは、1枚の片面段ボールから成り、
a) 波目側の面である、第1の対向する二辺とそれらに直交する第2の対向する二辺から成る矩形の物品載置面と、
b) 前記第1の対向する二辺からそれぞれ延出する内フラップと、
c) 前記第2の対向する二辺からそれぞれ延出する外フラップと、
d) 前記第1の対向する二辺及び前記第2の対向する二辺にそれぞれ設けられた内折り線と、
e) 前記2つの内フラップのうちの少なくとも一方に設けられた、前記第1の対向する二辺に平行な外折り線と、
を備えることを特徴とする梱包ケースである。
【０００８】
上記構成から成る本発明に係る梱包ケースの使い方は次の通りである。まず、物品載置面に物品（被梱包物）を載置する。そして、第1の対向する二辺に設けられた内折り線により2つの内フラップを折り、それらにより物品の上面を覆う。これにより物品は、物品載置面と内フラップにより、共に片面段ボールの波目側の面で覆われる。次に、外折り線が設けられた内フラップを、その外折り線で折り返す。これにより、内フラップの端の方が折り返され、波目側の面が外側に出る。そして、第2の対向する二辺に設けられた内折り線により2つの外フラップを折り、それらにより、折り返された内フラップの端の方の上を覆う。このとき、折り返された内フラップの外側の波目の筋と、その上を覆う外フラップの内側の面の波目の筋とが平行となっているため、それらの波目が噛み合う。このように内フラップと外フラップが噛み合った状態で2つの外フラップを固定することにより、物品を確実に梱包することができる。また、互いに嵌合した外フラップと内フラップが協働して物品を物品載置面に押し付けるため、輸送時におけるケース内での物品の移動を緩衝材を用いることなく効果的に防止することができる。前記外折り線は、2つの内フラップにそれぞれ設けることが望ましい。
【０００９】
また、上記課題を解決するために成された本発明に係る梱包ケースは、1枚の片面段ボールから成り、
a) 波目側の面である、第1の対向する二辺とそれらに直交する第2の対向する二辺から成る矩形の物品載置面と、
b) 前記第1の対向する二辺からそれぞれ延出する内フラップと、
c) 前記第2の対向する二辺からそれぞれ延出する外フラップと、
d) 前記第1の対向する二辺及び前記第2の対向する二辺のうちの少なくとも波目と直交する二辺に設けられた内折り線と、
e) 前記2つの内フラップのうちの少なくとも一方に設けられた、前記第1の対向する二辺に平行な外折り線と、
を備えることを特徴とする梱包ケースである。
【００１０】
すなわち、片面段ボールは波目に平行な方向に容易に折り曲げることができるため、波目と直交する方向にのみ内折り線を設けておくということでもよい。また、外折り線は、波目に平行な方向としておくことが望ましい。これにより、外折り線による内フラップの折り返しが容易となる。このような場合には、外折り線を予め設けておかなくても、波目に沿って折り曲げるだけで梱包することができる。
【００１１】
また、上記課題を解決するために成された本発明に係る梱包方法は、1枚の片面段ボールから成る梱包ケースによる物品の梱包方法であって、
a) 波目側の面であり、第1の対向する二辺とそれらに直交する第2の対向する二辺から成る矩形の物品載置面に物品を載置するステップと、
b) 前記物品の上面を覆うように前記第1の対向する二辺からそれぞれ延出する内フラップを折るステップと、
c) 前記2つの内フラップのうちの少なくとも一方を、前記第1の対向する二辺と平行な線に沿って前記物品上で外側に折り返すことにより、前記内フラップの先端側の波目側の面を外側に向けるステップと、
d) 前記第2の対向する二辺からそれぞれ延出する外フラップを折り、前記折り返された前記内フラップを覆うとともに、前記外側を向いた内フラップと前記外フラップそれぞれの波目側の面の波目の筋を互いに噛み合わせるステップと、
を有することを特徴とする。
【００１２】
前記第1の対向する二辺（すなわち、物品載置面と各内フラップの間）には、マチを設けることが望ましい。このような構成とすることにより、物品を梱包した際に、より物品の外形に沿った、タイトな梱包を行うことができるようになり、梱包後に梱包ケースの内部で物品が動くことが防止される。
【００１３】
前記外フラップの波目側の面及び、外側を向くように折り返された前記内フラップの面には、自己粘着剤が塗布されていてもよい。この場合、外フラップを内フラップに重ねて押さえつけるだけで、自己粘着剤により外フラップと内フラップを貼り合わすことができる。これにより、封緘のために粘着テープやゴムバンド等の他の道具を必要としない。また、外フラップと内フラップの接着面の面積が、平坦な場合に比べて増加するため、外フラップと内フラップを強固に固定することができる。さらに、梱包に要する時間を短縮することもできる。
【００１４】
また、前記2つの外フラップの波目側の面の両端部には、前記2つの内フラップと接しない余剰部分があることが望ましい。該余剰部分を外フラップと内フラップを互いに引き離す力を加えるグリップ部にすることで、外フラップと内フラップが強固に貼り合わされた梱包ケースの開封を容易にすることができる。
【発明の効果】
【００１５】
本発明に係る梱包ケースは、1枚の片面ダンボールのみから成るため、構造が簡単であって、少ない資材で効率的に被包装物を梱包することができる。また、複数の部品を用意しておかねばならないという面倒な部品管理作業が不要となり、組み立て作業も簡単となる。
【図面の簡単な説明】
【００１６】
【図１】実施例の梱包ケースを説明する展開図。
【図２】実施例の梱包ケースの梱包途中の状態を説明する斜視図。
【図３】実施例の梱包ケースの梱包状態のＸ−Ｙ面上面図。
【図４】実施例の梱包ケースの梱包状態のＸ−Ｚ面側面図。
【図５】実施例の変形例の梱包ケースを説明する展開図。
【図６】従来の梱包ケースを説明する図。
【発明を実施するための形態】
【００１７】
以下、本発明を実施するための形態を実施例を用いて説明する。
【００１８】
本実施例では、パッケージ入りのＣＤやＤＶＤといった厚みのある平板状の物品を配送するのに好適な梱包ケース１０を図１〜図４を参照しつつ説明する。梱包ケース１０は波目を有する面を片面に持つ1枚の片面段ボールであって、展開図は図１に示すような十字形状である。物品を梱包する際は、梱包途中の状態を説明する図２や梱包状態を説明する図３の上面図及び図４の側面図に示すように、片面段ボールを折り曲げて使用する。
【００１９】
梱包ケース１０は、矩形の物品載置面１１と該矩形の物品載置面の第1の対向する二辺から延出する2つの内フラップ１２、及び第1の対向する二辺と直交する第2の対向する二辺から延出する2つの外フラップ１３で構成される。梱包ケース１０は、片面段ボールの波目が物品に接するように、波目側の面を内側にして物品を梱包する。物品を梱包する手順を以下に説明しつつ、本実施例の梱包ケース１０を説明する。
【００２０】
まず、波目側の面である、矩形の物品載置面１１に、ＣＤパッケージ等の平板状の物品２０を載置する。一例として、横142mm、縦124mm、厚さ5mmのＣＤパッケージを３枚重ねたものを物品２０とする。矩形の物品載置面１１は、物品２０を載置できる大きさであればよく、矩形の物品載置面１１の第1の対向する二辺と平行な方向であって、ＣＤパッケージの横方向をＸ軸、第2の対向する二辺と平行な方向であって、ＣＤパッケージの縦方向をＹ軸の方向とすると、矩形の物品載置面１１は、Ｘ軸方向（Ｌ２）が182mm、Ｙ軸方向（Ｌ６）が158mmの大きさとすることができる。なお、本実施例では、波目の方向がＹ軸方向と平行である場合を説明する。
【００２１】
次に、矩形の物品載置面１１の第1の対向する二辺からＹ軸方向に延出する2つの内フラップ１２を、波目側の面を内側にして物品載置面上に載置された物品２０を覆うように第1の対向する二辺に設けられた内折り線に沿って折り曲げる。2つの内フラップ１２はそれぞれ、Ｘ軸方向（Ｌ２）が182mm、Ｙ軸方向（Ｌ３＋Ｌ４＋Ｌ５）が140.5mmの大きさとすることができる。
【００２２】
そして、2つの内フラップ１２には、それぞれ外折り線２１が第1の対向する二辺と平行に設けられており、該外折り線２１に沿って物品載置面の上で2つの内フラップ１２を折る。本実施例では、外折り線２１は第1の対向する二辺から78.5mm（Ｌ４＋Ｌ５）の位置に設けられている。内フラップ１２の大きさは1枚で物品載置面１１を覆うほどの大きさであるが、外折り線２１に沿って折り返すことにより、図２のように、2つの内フラップ１２は互いに重なることなく、物品載置面の上に載置された物品２０を覆うことができる。外折り線２１に沿って2つの内フラップ１２を折り返すと、2つの内フラップの端の方（外折り線２１から先の部分）の波目側の面がそれぞれ外側を向く。つまり、2つの内フラップの外折り線２１から先の部分が、第1の対向する二辺と外折り線２１の間の部分の上に重なるように外折り線２１に沿って折り返される。外折り線２１から先の部分の長さは62mm（Ｌ３）の大きさとすることができる。
【００２３】
第1の対向する二辺にはマチが設けられている。マチは第1の対向する二辺を取り囲む長楕円形状を呈しており、第1の罫線２２及び第2の罫線２３と、これら第1の罫線２２と第2の罫線２３の両端から矩形の物品載置面１１の角に向かう曲線で構成されている。本実施例では、第1の罫線２２は第1の対向する二辺から14.5mm（Ｌ５）の位置に設けられ、第2の罫線２３は第1の対向する二辺を対称軸として第1の罫線２２と線対称に設けられている。
【００２４】
このようなマチが設けられていることにより、物品２０を梱包した際に、長楕円形状の部分は梱包ケース１０の側面（図３及び図４に示す座標におけるＸ−Ｚ面）となり、物品２０の厚さに応じて変形する。すなわち、物品２０が第1の罫線２２と第2の罫線２３の距離29mm（２×Ｌ５）と同じ厚さであれば、側面は物品載置面１１と直交する面となるが、それより物品が薄ければ、側面は第1の対向する二辺が外側に突出した山型になる。本実施例では、物品２０はＣＤパッケージ３枚分の厚さである15mmであるため、側面は第1の対向する二辺が外側に突出した山型に変形する。このように長楕円形状のマチが変形することで、梱包する物品２０の厚さの変化に対して柔軟に対応できる梱包ケース１０になる。また、輸送時に梱包ケース１０を落とした場合に側面が下になっても、第1の対向する二辺が外側に突出した山型の部分により、梱包ケース１０の落下に伴う衝撃を吸収することができる。
【００２５】
最後に、第2の対向する二辺からＸ軸方向に延出する2つの外フラップ１３を、波目側の面を内側にして2つの内フラップ１２を覆うように第2の対向する二辺に設けられた内折り線に沿って折り曲げて封緘し、物品２０を梱包する。2つの内フラップ１２の端の方（外折り線２１から先の部分）の波目側の面が外側を向くように折り返され、折り返された内フラップの外側の波目の筋と、その上を覆う外フラップの内側の波目側の面の波目の筋とが平行となっているため、それらの波目が噛み合う。また、2つの外フラップ１３の波目側の面及び外側を向くように折り返された内フラップ１２の面には、自己粘着剤１４が塗布されている。そのため、外フラップ１３を内フラップ１２に重ねて押さえつけるだけで、自己粘着剤１４により外フラップ１３と内フラップ１２を貼り合わすことができ、封緘のために粘着テープやゴムバンド等の他の道具を必要としない。また、外フラップ１３と内フラップ１２の接着面の面積が、平坦な場合に比べて増加するため、外フラップ１３と内フラップ１２を強固に固定することができる。さらに、梱包に要する時間を短縮することもできる。
【００２６】
2つの外フラップ１３の波目側の面の両端部には、図３のように、2つの内フラップ１２と接しない余剰部分があることが望ましい。該余剰部分を外フラップ１３と内フラップ１２を互いに引き離す力を加えるグリップ部１５にすることで、強固に貼り合わされた梱包ケース１０の開封を容易にすることができる。
【００２７】
上記実施例では、矩形の物品載置面１１の第1の対向する二辺からＹ軸方向に延出しているフラップを内フラップ１２、第2の対向する二辺からＸ軸方向に延出しているフラップを外フラップ１３とする場合を説明したが、内フラップ１２及び外フラップ１３とＸ軸及びＹ軸方向との関係はこれに限られず、矩形の物品載置面１１の第1の対向する二辺からＹ軸方向に延出しているフラップを外フラップ、前記第2の対向する二辺からＸ軸方向に延出しているフラップを内フラップとしてもよい。また、波目の方向がＹ軸方向と平行である場合を説明したが、Ｘ軸方向と平行であってもよい。
【００２８】
波目の方向がＸ軸方向と平行である変形例の梱包ケースを図５に示す。図５に示す梱包ケース５０は、図１に示した梱包ケース１０と波目の方向が９０度異なっていることを除き、梱包ケース１０と同様に構成されている。すなわち、梱包ケース５０は、矩形の物品載置面１１、物品載置面１１の第1の対向する二辺からＹ軸方向に延出している内フラップ１２、第2の対向する二辺からＸ軸方向に延出している外フラップ１３で構成される。内フラップ１２には第1の対向する二辺と平行に外折り線２１が設けられ、内フラップ１２の端の方（外折り線２１から先の部分）及び外フラップ１３には自己粘着剤１４が塗布されている。
【００２９】
このような梱包ケース５０においても、2つの内フラップ１２の端の方（外折り線２１から先の部分）の波目側の面が外側を向くように折り返すと、折り返された内フラップの外側の波目の筋と、その上を覆う外フラップ１３の内側の面の波目の筋とが平行になるため、それらの波目が噛み合う。そのため、梱包ケース１０と同様に、内フラップと外フラップが噛み合った状態で2つの外フラップを固定することにより、物品を確実に梱包することができる。また、互いに嵌合した外フラップと内フラップが協働して物品を物品載置面に押し付けるため、輸送時におけるケース内での物品の移動を緩衝材を用いることなく効果的に防止することができる。
【００３０】
また、上記実施例及び変形例では、2つの内フラップ１２にそれぞれ外折り線２１が設けられている場合を説明したが、本発明はこれに限られない。少なくとも一方の内フラップ１２に外折り線２１が設けられていれば、該外折り線２１に沿って折り返された内フラップは外フラップの波目と互いに噛み合った状態で外フラップを固定することができ、物品を確実に梱包することができる。
【００３１】
さらに、上記実施例及び変形例では、矩形の物品載置面１１を構成する全ての辺に、内折り線が設けられている場合を説明したが、本発明はこれに限られない。物品載置面１１を構成する辺が波目の方向と直交している場合に、当該辺に沿ってフラップを折り曲げにくいため、内折り線は少なくとも波目の方向と直交している辺に設けられていればよい。同様の理由により、外折り線は波目の方向と直交する場合に設けるようにしてもよい。
【符号の説明】
【００３２】
１０、５０…梱包ケース
１１…物品載置面
１２…内フラップ
１３…外フラップ
１４…自己粘着剤
１５…グリップ部
２０…物品
２１…外折り線
２２…第１の罫線
２３…第２の罫線
【図１】
2015199515.tif 000003
【図２】
2015199515.tif 000004
【図３】
2015199515.tif 000005
【図４】
2015199515.tif 000006
【図５】
2015199515.tif 000007
【図６】
2015199515.tif 000008